(57)【要約】      （修正有）【課題】他の収納箱と連結することのできる収納箱を提供する。【解決手段】収納箱１は、底部２２および第１〜第４側壁２３〜２６を備える箱体２１と、第３側壁２５に連結され蓋体２７とを有する箱本体２と、第１側壁２３に設けられた第１連結部と、第３側壁２５に設けられた第２連結部と、第２側壁２４に設けられた第３連結部３３と、第４側壁２６に設けられた第４連結部３４とを有している。第２連結部３３は、第１連結部と係合することができ、第３連結部３３は、第４連結部３４と係合することができる。【選択図】図１
0003182505.tif 000002
【実用新案登録請求の範囲】
【請求項１】
底部および該底部から立設する側壁を備える箱体と、
前記側壁に連結され前記箱体の開口を開閉する蓋体と、
前記側壁に設けられた第１連結部と、
前記側壁の前記第１連結部と反対側に設けられ、前記第１連結部と係合することのできる構成の第２連結部と、を有することを特徴とする収納箱。
【請求項２】
さらに、前記側壁の前記第１連結部と前記第２連結部との間に設けられた第３連結部と、
前記側壁の前記第３連結部と反対側に設けられ、前記第３連結部と係合することのできる構成の第４連結部と、を有する請求項１に記載の収納箱。
【請求項３】
前記側壁は、一列に連設された第１側壁、第２側壁、第３側壁および第４側壁を有し、前記第１側壁および前記第３側壁が対向し、前記第２側壁および前記第４側壁が対向しており、
前記第１側壁に前記第１連結部が設けられ、
前記第２側壁に前記第３連結部が設けられ、
前記第３側壁に前記第２連結部が設けられ、
前記第４側壁に前記第４連結部が設けられている請求項２に記載の収納箱。
【請求項４】
前記第１連結部および前記第２連結部の一方が面ファスナーのループ部であり、他方が面ファスナーのフック部であり、
前記第３連結部および前記第４連結部の一方が面ファスナーのループ部であり、他方が面ファスナーのフック部である請求項２または３に記載の収納箱。
【請求項５】
前記側壁には、手掛け部が形成されている請求項１ないし４のいずれか１項に記載の収納箱。
【請求項６】
前記手掛け部は、前記側壁に形成された孔で構成されている請求項５に記載の収納箱。
【請求項７】
前記側壁には、前記孔を閉じる手掛け部用蓋が設けられている請求項６に記載の収納箱。
【請求項８】
前記手掛け部用蓋は、前記側壁と一体的に形成されている請求項７に記載の収納箱。
【請求項９】
前記手掛け部は、一対形成されている請求項５ないし７のいずれか１項に記載の収納箱。
【請求項１０】
前記蓋体には、指掛け部が形成されている請求項１ないし９のいずれか１項に記載の収納箱。
【請求項１１】
前記指掛け部は、前記蓋体に形成された孔で構成されている請求項１０に記載の収納箱。
【請求項１２】
前記蓋体には、前記孔を閉じる指掛け部用蓋が設けられている請求項１１に記載の収納箱。
【請求項１３】
前記指掛け部用蓋は、前記蓋体と一体的に形成されている請求項１２に記載の収納箱。
【請求項１４】
折り畳み可能である請求項１ないし１３のいずれか１項に記載の収納箱。
【請求項１５】
プラスチック材料で構成されている請求項１ないし１４のいずれか１項に記載の収納箱。
【請求項１６】
プラスチック段ボールで構成されている請求項１５に記載の収納箱。
【請求項１７】
前記プラスチック段ボールの筋目は、前記側壁の高さ方向と平行である請求項１６に記載の収納箱。
【請求項１８】
前記プラスチック段ボールの筋目は、前記側壁の幅方向と平行である請求項１６に記載の収納箱。
【考案の詳細な説明】
【技術分野】
【０００１】
本考案は、収納箱に関する。
【背景技術】
【０００２】
従来から、簡易な収納箱としてダンボール箱が広く使用されている（例えば、特許文献１参照）。ダンボール箱は、一般的に折り畳み可能となっており、使用しない場合には折り畳んで収納しておくことができる点で便利である。ここで、複数のダンボール箱を縦横に配列することにより、簡易的な棚とする場合がある。この場合、従来のダンボール箱では、隣り合うダンボール箱が連結されていないため、不安定となってしまい、崩壊のおそれの高い棚となってしまうという問題がある。
【先行技術文献】
【特許文献】
【０００３】
【特許文献１】特開２００９−９６５４０号公報
【考案の概要】
【考案が解決しようとする課題】
【０００４】
本考案の目的は、他の収納箱と連結することのできる収納箱を提供することにある。
【課題を解決するための手段】
【０００５】
前記目的は、以下（１）〜（１８）の本考案により達成される。
（１）  底部および該底部から立設する側壁を備える箱体と、
前記側壁に連結され前記箱体の開口を開閉する蓋体と、
前記側壁に設けられた第１連結部と、
前記側壁の前記第１連結部と反対側に設けられ、前記第１連結部と係合することのできる構成の第２連結部と、を有することを特徴とする収納箱。
【０００６】
（２）  さらに、前記側壁の前記第１連結部と前記第２連結部との間に設けられた第３連結部と、
前記側壁の前記第３連結部と反対側に設けられ、前記第３連結部と係合することのできる構成の第４連結部と、を有する上記（１）に記載の収納箱。
【０００７】
（３）  前記側壁は、一列に連設された第１側壁、第２側壁、第３側壁および第４側壁を有し、前記第１側壁および前記第３側壁が対向し、前記第２側壁および前記第４側壁が対向しており、
前記第１側壁に前記第１連結部が設けられ、
前記第２側壁に前記第３連結部が設けられ、
前記第３側壁に前記第２連結部が設けられ、
前記第４側壁に前記第４連結部が設けられている上記（２）に記載の収納箱。
【０００８】
（４）  前記第１連結部および前記第２連結部の一方が面ファスナーのループ部であり、他方が面ファスナーのフック部であり、
前記第３連結部および前記第４連結部の一方が面ファスナーのループ部であり、他方が面ファスナーのフック部である上記（２）または（３）に記載の収納箱。
【０００９】
（５）  前記側壁には、手掛け部が形成されている上記（１）ないし（４）のいずれか１項に記載の収納箱。
【００１０】
（６）  前記手掛け部は、前記側壁に形成された孔で構成されている上記（５）に記載の収納箱。
【００１１】
（７）  前記側壁には、前記孔を閉じる手掛け部用蓋が設けられている上記（６）に記載の収納箱。
【００１２】
（８）前記手掛け部用蓋は、前記側壁と一体的に形成されている上記（７）に記載の収納箱。
【００１３】
（９）  前記手掛け部は、一対形成されている上記（５）ないし（７）のいずれか１項に記載の収納箱。
【００１４】
（１０）  前記蓋体には、指掛け部が形成されている上記（１）ないし（９）のいずれか１項に記載の収納箱。
【００１５】
（１１）  前記指掛け部は、前記蓋体に形成された孔で構成されている上記（１０）に記載の収納箱。
【００１６】
（１２）  前記蓋体には、前記孔を閉じる指掛け部用蓋が設けられている上記（１１）に記載の収納箱。
【００１７】
（１３）  前記指掛け部用蓋は、前記蓋体と一体的に形成されている上記（１２）に記載の収納箱。
【００１８】
（１４）  折り畳み可能である上記（１）ないし（１３）のいずれか１項に記載の収納箱。
【００１９】
（１５）  プラスチック材料で構成されている上記（１）ないし（１４）のいずれか１項に記載の収納箱。
【００２０】
（１６）  プラスチック段ボールで構成されている上記（１５）に記載の収納箱。
（１７）  前記プラスチック段ボールの筋目は、前記側壁の高さ方向と平行である上記（１６）に記載の収納箱。
【００２１】
（１８）  前記プラスチック段ボールの筋目は、前記側壁の幅方向と平行である上記（１６）に記載の収納箱。
【考案の効果】
【００２２】
本考案によれば、他の収納箱と連結することのできる収納箱を提供することができる。そのため、例えば、複数の収納箱を縦横に連結することができ、崩壊し難い簡易な棚を形成することができる。また、折り畳み可能とすることにより、使用しない場合は、畳んでしまっておくことができ、省スペース化を図ることができる。また、プラスチック材料で構成することによって、強度が高く、耐環境性に優れた収納箱となる。
【図面の簡単な説明】
【００２３】
【図１】本考案の収納箱の好適な実施形態を示す斜視図である。
【図２】図１に示す収納箱の底面図である。
【図３】図１に示す収納箱の側面図である。
【図４】図１に示す収納箱の展開図である。
【図５】プラスチック段ボールの筋目の方向を示す展開図である。
【図６】プラスチック段ボールの筋目の方向を示す展開図である。
【図７】収納箱の使用形態の一例を説明するための平面図である。
【図８】収納箱の使用形態の一例を説明するための平面図である。
【考案を実施するための形態】
【００２４】
以下、本考案の収納箱を添付図面に示す好適な実施形態に基づいて詳細に説明する。
図１は、本考案の収納箱の好適な実施形態を示す斜視図、図２は、図１に示す収納箱の底面図、図３は、図１に示す収納箱の側面図、図４は、図１に示す収納箱の展開図、図５および図６は、それぞれ、プラスチック段ボールの筋目の方向を示す展開図、図７および図８は、それぞれ、収納箱の使用形態の一例を説明するための平面図である。なお、以下では、説明の都合上、図１中の上側を「上」、下側を「下」、左側を「左」、右側を「右」として説明を行う。
【００２５】
図１ないし図３に示すように、収納箱１は、箱本体２と、箱本体２に設けられた連結部３とを有している。
【００２６】
また、箱本体２は、箱状の箱体２１と、箱体２１の開口を開閉する蓋体２７とを有している。また、箱体２１は、長方形（矩形）の輪郭を有する底部２２と、底部２２から立設する側壁とを有している。また、側壁は、底部２２の各辺から立設する第１側壁２３、第２側壁２４、第３側壁２５および第４側壁２６を有しており、第１側壁２３と第３側壁２５とが対向し、第２側壁２４と第４側壁２６とが対向している。言い換えると、第１、第３側壁２３、２５の一端同士が第２側壁２４により連結され、他端同士が第４側壁２６により連結されている。
【００２７】
図１に示すように、第３側壁２５の上端には蓋体２７が接続されており、第２、第４側壁２４、２６の上端にはフラップ２８、２９が接続されている。蓋体２７は、その自由端部に折り曲げられた差込部２７５を有し、この差込部２７５を両フラップ２８、２９が内側に折り曲げられた状態で箱体２１（フラップ２８、２９と第１側壁２３との間）に差し込むことにより、箱体２１の開口を閉じた状態（閉状態）とすることができる。また、図２に示すように、第１、第２、第３、第４側壁２３、２４、２５、２６の下端にはフラップ２２１、２２２、２２３、２２４が接続されており、これらフラップ２２１〜２２４が重なり合った状態で係合することによって底部２２が形成されている。
【００２８】
また、図１に示すように、第１側壁２３の上端には、切り欠き２３１が形成されている。これにより、蓋体２７の開閉操作を簡単に行うことができる。
【００２９】
また、図３（ａ）、（ｂ）に示すように、第２、第４側壁２４、２６には、手掛け部２４１、２６１が形成されている。手掛け部２４１、２６１は、使用者が手（指）を引っ掛けるために用いられ、持ち運び容易な収納箱１となる。手掛け部２４１は、第２側壁２４の上端側に形成された孔２４２で構成されている。同様に、手掛け部２６１は、第４側壁２６の上端側に形成された孔２６２で構成されている。このような構成とすることにより、手掛け部２４１、２６１を簡単に形成することができる。
【００３０】
また、第２、第４側壁２４、２６には、孔２４２、２６２を塞ぐための手掛け部用蓋２４３、２６３が設けられている。手掛け部２４１、２６１を使用しないときは、手掛け部用蓋２４３、２６３を閉じることによって、孔２４２、２６２を塞ぐことができる。孔２４２、２６２を塞ぐことによって、孔２４２、２６２を介して収納箱１の内部が視認されてしまうのを防止することができる。また、孔２４２、２６２を介して収納箱１の内部に異物（液体、塵、埃等のゴミ）が侵入してしまうのを防止することができる。第２、第４側壁２４、２６には略Ｃ字状の切れ目２４４、２６４が形成されており、この切れ目２４４、２６４で囲まれ、第２、第４側壁２４、２６から分離された部分が手掛け部用蓋２４３、２６３を構成する。このように、手掛け部用蓋２４３、２６３を第２、第４側壁２４、２６と一体的に形成することにより、手掛け部用蓋２４３、２６３の形成が容易となる。
【００３１】
また、図１に示すように、蓋体２７には、指掛け部２７１が形成されている。指掛け部２７１は、使用者が指を引っ掛けるために用いられ、蓋体２７の開閉操作を簡単に行うことができる。指掛け部２７１は、蓋体２７に形成された孔２７２で構成されている。このような構成とすることにより、指掛け部２７１を簡単に形成することができる。
【００３２】
また、蓋体２７には、孔２７２を塞ぐ指掛け部用蓋２７３が設けられている。指掛け部２７１を使用しないときは、指掛け部用蓋２７３を閉じることによって、孔２７２を塞ぐことができる。孔２７２を塞ぐことにより、孔２７２を介して収納箱１の内部が視認されてしまうのを防止することができる。また、孔２７２を介して収納箱１の内部に異物が侵入してしまうのを防止することができる。蓋体２７には、略Ｕ字状の切れ目２７４が形成されており、この切れ目２７４で囲まれ、蓋体２７から分離された部分が指掛け部用蓋２７３を構成する。このように、指掛け部用蓋２７３を蓋体２７と一体的に形成することにより、指掛け部用蓋２７３の形成が容易となる。
【００３３】
なお、蓋体２７には、必要に応じて、持ち主の氏名等が記載されたプレート（紙）を収納するため収納部が設けられていてもよい。この収納部は、蓋体２７とは別に透明な部材で構成され、接着剤等によって蓋体２７に接合される。このような収納部を設けることによって、収納箱１の持ち主を簡単に判断することができる。
【００３４】
以上のような構成の箱本体２は、折り畳み可能な組み立て式となっている。図４は、箱本体２の展開図である。図４に示すように、箱本体２は、１枚のシート材２０から構成されている。シート材２０は、一列に並べられた第１〜第４側壁２３〜２６と、第２、４側壁２４、２６の上端に接続されたフラップ２８、２９と、第３側壁２５の上端に接続された蓋体２７と、第１、第２、第３、第４側壁２３、２４、２５、２６の下端に接続されたフラップ２２１、２２２、２２３、２２４とを有している。また、第３側壁２５には糊代２５１が形成されており、この糊代２５１が接着剤等によって第４側壁２６に固定されている。これにより、第１〜第４側壁２３〜２７が枠状に連なった状態となる。また、各部の境界には、折り目が形成されており、各部が折り込み易くなっている。
【００３５】
このようなシート材２０は、例えば、第１、第２側壁２３、２４の境界部と、第３、第４側壁２５、２６の境界部とを折り畳むことにより、平面状（シート状）に折り畳むことができる。反対に、第１〜第４側壁２３〜２７を枠状に広げ、フラップ２２１を内側に織り込み、さらに、フラップ２２２、２２４を内側へ折り込んだ後、フラップ２２３を内側に折り込むとともにその先端に設けられた差込部２２３ａをフラップ２２１の内側へ差し込む。これにより、フラップ２２１〜２２４が互いに固定されて底部２２となり、箱本体２となる。
【００３６】
シート材２０（箱本体２）の構成材料としては、特に限定されず、各種金属材料、各種紙材料、各種プラスチック材料を用いることができるが、これらの中でも、各種プラスチック材料で構成されているのがより好ましい。また、シート材２０は、プラスチック材料の中でも、特に、プラスチック段ボールで構成されているのが好ましい（紙材料で構成されている場合は、段ボールで構成されているのが好ましい）。プラスチック段ボールで構成することによって、軽さと強度とを両立でき、持ち運びに便利な箱本体２となる。また、安全性、耐熱性、耐水性、耐薬性を備えた箱本体２ともなる。また、例えば、水拭き等も可能なため、その取扱いが容易となる。なお、シート材２０は、１枚のプラスチック段ボールで構成されていてもよいし、複数のプラスチック段ボールの積層体で構成されていてもよい。
【００３７】
ここで、シート材２０をプラスチック段ボールで構成した場合、プラスチック段ボールの筋目２００は、図５に示すように、側壁の幅方向に沿っていてもよいし、図６に示すように、高さ方向に沿っていてもよい。図５に示すように、筋目２００が側壁の幅方向に沿っている場合には、高さ方向に沿っている場合と比較して、収納箱１を横にした状態での鉛直方向上側からの荷重に対する強度を高くすることができる。反対に、図６に示すように、筋目２００が側壁の高さ方向に沿っている場合には、幅方向に沿っている場合と比較して、収納箱１を縦にした状態での鉛直方向上側からの荷重に対する強度を高くすることができる。筋目２００の方向は、収納箱１の使用目的や使用態様に応じて適宜設定すればよい。
【００３８】
以上、箱本体２について詳細に説明した。このような箱本体２の側壁には連結部３が設けられている。この連結部３は、他の収納箱１と連結・固定するためのものである。図１および図２に示すように、連結部３は、第１側壁２３に設けられた２つの第１連結部３１Ａ、３１Ｂと、第２側壁２４に設けられた第３連結部３３と、第３側壁２５に設けられた２つの第２連結部３２Ａ、３２Ｂと、第４側壁２６に設けられた第４連結部３４とを有している。
【００３９】
第２連結部３２Ａは、側壁の反対側（対向する位置）にある第１連結部３１Ａと係合することのできる構成をなしている。同様に、第２連結部３２Ｂは、側壁の反対側にある第１連結部３１Ｂと係合することのできる構成をなし、第４連結部３４は、側壁の反対側にある第３連結部３３と係合することのできる構成をなしている。すなわち、第１、第２連結部３１Ａ、３２Ａが対（雄雌の関係）をなし、第１、第２連結部３１Ｂ、３２Ｂが対をなし、第３、第４連結部３３、３４が対をなしている。このような連結部３を設けることによって、例えば、複数の収納箱１を縦横に複数配置する場合に、隣り合うまたは重なり合う収納箱１を連結部３によって連結することができるため、収納箱１の集合体（例えば、後述する棚９０）が安定したものとなる。また、頭上にある収納箱１が落ちてくると言った前記集合体の崩壊を防止することができる。
【００４０】
第１〜第４連結部３１Ａ〜３４の構成としては、特に限定されないが、本実施形態では面ファスナーを用いている。具体的には、第１、第２連結部３１Ａ、３２Ａのうちの一方がループ部、他方がフック部である。同様に、第１、第２連結部３１Ｂ、３２Ｂのうちの一方がループ部、他方がフック部であり、第３、第４連結部３３、３４のうちの一方がループ部、他方がフック部である。このように、面ファスナーを用いることによって、第１〜第４連結部３１Ａ〜３４の構成が簡単となる。また、面ファスナーは、フック部とループ部とが重なってさえいれば、互いの位置関係によらずに係合するため、使用性に優れた収納箱１となる。前述したように、第１、第２連結部３１Ａ、３２Ａのうちの一方がループ部、他方がフック部であればよいが、特に、第１連結部３１Ａがループ部であり、第２連結部３２Ａがフック部であるのが好ましい。また、第３、第４連結部３３、３４のうちの一方がループ部、他方がフック部であればよいが、特に、第３連結部３３がループ部であり、第４連結部３４がフック部であるのが好ましい。
【００４１】
なお、連結部３の構成としては、この他にも、例えば、第１、第２連結部３１Ａ、３２Ａを凹凸で構成してもよく、スナップボタンのようなもので構成してもよい。第１、第２連結部３１Ｂ、３２Ｂ、第３、第４連結部３３、３４についても同である。また、各連結部３１Ａ、３１Ｂ、３２Ａ、３２Ｂ、３３、３４を、それぞれ、面フリーファスナー（フック部とループ部とを同時に備えるシート材）で構成してもよい。
【００４２】
以上、収納箱１について説明した。次に、収納箱１の具体的な使用態様を説明する。なお、収納箱１の使用態様は、以下の態様に限定されない。
【００４３】
図７に示すオフィスビル１００のように、工事員（工事関係者）の待機場所があるフロア１１０と、内装工事を行うフロア１２０とが異なる階にあった場合、工事員は、エレベーター１３０や階段を使ってフロア１１０、１２０間を移動する。しかしながら、近年では、見栄えを保つため等の理由から、ヘルメット等を着用したままのフロア１１０、１２０間の移動が禁止されるケースや、さらには、工事員であることが分からないようにヘルメット等の露出さえも禁止されるケースが多くなってきている。この場合、工事員は、適当な入れ物に必要な道具を入れてフロア１２０まで移動し、フロア１２０にて道具を出して工事を行い、工事が終われば、フロア１２０にて前記道具を前記入れ物に入れてフロア１１０まで移動しなければならない。
【００４４】
そこで、収納箱１を、フロア１１０、１２０間を移動する際に、工事道具を収納して持ち運ぶための前記入れ物として用いるのがよい。収納箱１は、前述したように、持ち運びに適した設計（軽さ）となっているため、フロア１１０、１２０の移動が楽になる。さらに、フロア１２０に到着した後は、図８に示すように、他の工事員が同じようにして持ってきた収納箱１と縦横に並べて配置することによって、簡易な棚９０としても用いることができるようになる。前述したように、隣り合うまたは重なり合う収納箱１は、連結部３によって連結されるため、崩壊等が防止される安全な棚９０となる。また、このような棚９０とすることによって、個人個人の収納箱１がばらばらに散らばらないため、整然さが得られ、かつ、省スペース化を図ることもできる。特に、収納箱１では、棚９０の一部とする状態では、手掛け部用蓋２４３、２６３、指掛け部用蓋２７３によって、手掛け部２４１、２６１、指掛け部２７１を閉じることによって、工事中に舞う塵や埃の収納箱１内への侵入を抑制することができる。なお、工事が終われば、自分の収納箱１を棚から分離して、工事道具を収納し、フロア１１０に移動すればよい。
【００４５】
このように、収納箱１によれば、フロア１１０、１２０間の移動の際に、工事道具が露出せず、さらには、工事現場では、他の収納箱１と連結させることによって棚９０とすることができる。そのため、優れた利便性を発揮することができる。
【００４６】
なお、収納箱１に、収納する道具としては、特に限定されず、例えば、ヘルメット、防塵マスク、防塵メガネ、手袋、安全帯、各種工具等が挙げられる。この場合、特に、収納箱１は、工事の必需品であるヘルメットを主要な収納物とし、余ったスペースにその他各種道具を収納するようにサイズ設計されているのが好ましい。具体的には、内寸法において、横（Ｗ）×縦（Ｌ）×高さ（Ｈ）が、２８０ｍｍ〜３２０ｍｍ×１８０ｍｍ〜２２０ｍｍ×２８０ｍｍ〜３２０ｍｍ程度であるのが好ましい。また、シート材２０の厚みとしては、３〜７ｍｍ程度であるのが好ましい。これにより、上記目的に合ったサイズおよび強度の収納箱１となる。
【００４７】
以上、本考案の収納箱を図示の実施形態に基づいて説明したが、本考案はこれに限定されるものではなく、各部の構成は、同様の機能を有する任意の構成のものに置換することができる。また、本考案に他の任意の構成物が付加されていてもよい。
【００４８】
また、前述した実施形態では、箱本体がいわゆる「上差込下組式」のプラスチック段ボールで構成されているが、これに限定されず、例えば、「上下差込式」のプラスチック段ボールで構成されていてもよいし、Ａ式やＮ式のプラスチック段ボールで構成されていてもよい。また、箱本体は、折り畳むことができなくてもよい。
【００４９】
また、前述した実施形態では、第１連結部および第２連結部がそれぞれ２つずつ設けられているが、第１、第２連結部の数は、特に限定されない。また、第１〜第４連結部の平面視形状も矩形に限定されず、円形であってもよしい、異形であってもよい。
【符号の説明】
【００５０】
１        収納箱
２        箱本体
２０      シート材
２００    筋目
２１      箱体
２２      底部
２２１    フラップ
２２２    フラップ
２２３    フラップ
２２３ａ  差込部
２２４    フラップ
２３      第１側壁
２３１    切り欠き
２４      第２側壁
２４１    手掛け部
２４２    孔
２４３    手掛け部用蓋
２４４    切れ目
２５      第３側壁
２５１    糊代
２６      第４側壁
２６１    手掛け部
２６２    孔
２６３    手掛け部用蓋
２６４    切れ目
２７      蓋体
２７１    指掛け部
２７２    孔
２７３    指掛け部用蓋
２７４    切れ目
２７５    差込部
２８      フラップ
２９      フラップ
３        連結部
３１Ａ    第１連結部
３１Ｂ    第１連結部
３２Ａ    第２連結部
３２Ｂ    第２連結部
３３      第３連結部
３４      第４連結部
９０      棚
１００    オフィスビル
１１０    フロア
１２０    フロア
１３０    エレベーター
【図１】
0003182505.tif 000003
【図２】
0003182505.tif 000004
【図３】
0003182505.tif 000005
【図４】
0003182505.tif 000006
【図５】
0003182505.tif 000007
【図６】
0003182505.tif 000008
【図７】
0003182505.tif 000009
【図８】
0003182505.tif 000010